(57)【特許請求の範囲】
【請求項１】
ドラムと、ベルトと、シャフトと、を備え、
前記ドラムは、外周面に前記ベルトが巻き取られる巻き取り部を有する筒部を有し、前記筒部の内部に前記筒部の中心軸方向に開口して前記シャフトが挿入されるシャフト挿入部が設けられ、前記ドラムは前記筒部の径方向に分割される複数の分割体を有するものであり、
前記ベルトには、長手方向の一端部に前記ベルトの前記一端部以外の部分の厚みよりも厚い抜止部が設けられ、
前記シャフトには、前記シャフトの径方向に貫通するとともに前記シャフトの軸方向に開口し、前記ベルトの前記抜止部以外の部分が挿通可能で前記抜止部が挿通不能に形成されるベルト挿通部が設けられ、
前記ベルトが前記抜止部により抜止めされた状態で前記シャフトの前記径方向に貫通し、
前記シャフトに設けられた前記ベルトの長手方向の他端部側の部分が前記分割体の間から外側に挿通されることを特徴とするベルト付きプーリ。
【請求項２】
前記ドラムが二個の前記巻き取り部を有し、前記シャフトに二本の前記ベルトが挿通されることを特徴とする請求項１記載のベルト付きプーリ。
【請求項３】
請求項１または請求項２記載の前記ベルト付きプーリを備える昇降収納装置。
【請求項４】
ドラムと、ベルトと、シャフトと、を備えるベルト付きプーリの製造方法であって、
前記ドラムは、外周面に前記ベルトが巻き取られる巻き取り部を有する筒部を有し、前記筒部の内部に前記筒部の中心軸方向に開口して前記シャフトが挿入されるシャフト挿入部が設けられ、前記ドラムは前記筒部の径方向に分割される複数の分割体を有するものであり、
前記ベルトには、長手方向の一端部に前記ベルトの前記一端部以外の部分の厚みよりも厚い抜止部が設けられ、
前記シャフトには、前記シャフトの径方向に貫通するとともに前記シャフトの軸方向に開口し、前記ベルトの前記抜止部以外の部分が挿通可能で前記抜止部が挿通不能に形成されるベルト挿通部が設けられ、
前記ベルト挿通部に前記シャフトの前記軸方向より前記ベルトが挿通されて、前記ベルトが前記抜止部により抜止めされた状態で前記シャフトの前記径方向に貫通し、
前記ベルトが挿通された前記シャフトが前記分割体の前記シャフト挿入部に配置され、
前記シャフトに設けられた前記ベルトの長手方向の他端部側の部分が前記分割体の間から外側に挿通された状態で、前記分割体が連結されることを特徴とするベルト付きプーリの製造方法。
【発明の詳細な説明】
【技術分野】
【０００１】
本発明は、ベルト付きプーリ、ベルト付きプーリを備える昇降収納装置およびベルト付きプーリの製造方法に関する。
【背景技術】
【０００２】
従来より、図８Ａに示すようなベルト付きプーリ９が知られている（例えば特許文献参照）。ベルト付きプーリ９は、ドラム９１と、ベルト９２と、シャフト９３と、を備える。
【０００３】
このベルト付きプーリ９の製造（組み立て）は、まず、ベルト９２の端部が、図８Ｂに示すドラム９１に形成されるベルト挿通口９４に挿通されて、ドラム９１の内部の所定の位置に配置される。そして、図８Ａに示すように、ベルト９２の端部に形成された環状部にピン９５が挿入されて、ベルト９２のドラム９１からの抜け止めが図られている。
【先行技術文献】
【特許文献】
【０００４】
【特許文献１】特開２００２−６８６７６号公報
【発明の概要】
【発明が解決しようとする課題】
【０００５】
上記ベルト付きプーリ９にあっては、ベルト９２の端部がベルト挿通口９４に挿通されてドラム９１の内部の所定の位置に配置されるための作業が手間のかかるものであった。さらに、ドラム９１の内部の所定の位置に配置されたベルト９２の環状部に、ドラム９１の外部よりピン９５が挿入されるための作業が手間のかかるものであった。
【０００６】
本発明は上記従来の問題点に鑑みて発明したものであって、その目的とするところは、製造が容易なベルト付きプーリ、ベルト付きプーリを備える昇降収納装置およびベルト付きプーリの製造方法を提供することにある。
【課題を解決するための手段】
【０００７】
本発明に係るベルト付きプーリは、ドラムと、ベルトと、シャフトと、を備え、前記ドラムは、外周面に前記ベルトが巻き取られる巻き取り部を有する筒部を有し、前記筒部の内部に前記筒部の中心軸方向に開口して前記シャフトが挿入されるシャフト挿入部が設けられ、前記ドラムは前記筒部の径方向に分割される複数の分割体を有するものであり、前記ベルトには、長手方向の一端部に前記ベルトの前記一端部以外の部分の厚みよりも厚い抜止部が設けられ、前記シャフトには、前記シャフトの径方向に貫通するとともに前記シャフトの軸方向に開口し、前記ベルトの前記抜止部以外の部分が挿通可能で前記抜止部が挿通不能に形成されるベルト挿通部が設けられ、前記ベルトが前記抜止部により抜止めされた状態で前記シャフトの前記径方向に貫通し、前記シャフトに設けられた前記ベルトの長手方向の他端部側の部分が前記分割体の間から外側に挿通されることを特徴とする。
【０００８】
本発明の昇降収納装置は、ベルト付きプーリを備えることを特徴とする。
【０００９】
本発明は、ドラムと、ベルトと、シャフトと、を備えるベルト付きプーリの製造方法であって、前記ドラムは、外周面に前記ベルトが巻き取られる巻き取り部を有する筒部を有し、前記筒部の内部に前記筒部の中心軸方向に開口して前記シャフトが挿入されるシャフト挿入部が設けられ、前記ドラムは前記筒部の径方向に分割される複数の分割体を有するものであり、前記ベルトには、長手方向の一端部に前記ベルトの前記一端部以外の部分の厚みよりも厚い抜止部が設けられ、前記シャフトには、前記シャフトの径方向に貫通するとともに前記シャフトの軸方向に開口し、前記ベルトの前記抜止部以外の部分が挿通可能で前記抜止部が挿通不能に形成されるベルト挿通部が設けられ、前記ベルト挿通部に前記シャフトの前記軸方向より前記ベルトが挿通されて、前記ベルトが前記抜止部により抜止めされた状態で前記シャフトの前記径方向に貫通し、前記ベルトが挿通された前記シャフトが前記分割体の前記シャフト挿入部に配置され、前記シャフトに設けられた前記ベルトの長手方向の他端部側の部分が前記分割体の間から外側に挿通された状態で、前記分割体が連結されることを特徴とする。
【発明の効果】
【００１０】
本発明にあっては、従来におけるドラム内に配置されたベルトの環状部にピンが挿入されるための手間のかかる作業が不要となり、作業性が向上して、ベルト付きプーリの製造が容易となる。
【図面の簡単な説明】
【００１１】
【図１】図１は一実施形態のベルト付きプーリの斜視図である。
【図２】図２Ａは一実施形態におけるドラムの斜視図であり、図２Ｂは一実施形態におけるドラムの分解斜視図である。
【図３】図３Ａは一実施形態におけるシャフトの斜視図であり、図３Ｂは一実施形態におけるベルトが挿通されたシャフトの斜視図である。
【図４】図４Ａは一実施形態におけるベルトの斜視図であり、図Ｂは一実施形態におけるベルトの分解斜視図である。
【図５】図５Ａは一実施形態のベルト付きプーリの組立を説明する分解斜視図であり、図５Ｂは一実施形態におけるベルト付きプーリの組立を説明する一部分解斜視図である。
【図６】図６は昇降収納装置の正面図である。
【図７】図７は図６のＡ−Ａ線断面図である。
【図８】図８Ａは従来におけるベルト付きプーリの斜視図であり、図８Ｂは従来におけるプーリの斜視図である。
【発明を実施するための形態】
【００１２】
本発明の一実施形態について添付図面に基いて説明する。
【００１３】
図１に示すように、本発明のベルト付きプーリ１は、ドラム２と、ベルト３と、シャフト４と、を備える。
【００１４】
図２Ａに示すように、ドラム２は、筒部２１を有するものである。筒部２１は、外周面にベルト３が巻き取られる巻き取り部２２を有するものである。筒部２１は、本実施形態では円筒状をしたものであるが、特に円筒状でなく楕円筒状等の他の形状でもよい。また、周方向の一部が欠損して厳密な筒をなしていなくてもよい。図２Ｂに示すように、このドラム２は分割されるもので、この点については後述する。
【００１５】
本実施形態では、図２Ａに示すように、ドラム２が二個の巻き取り部２２を有している。二個の巻き取り部２２は、筒部２１に中心軸方向に隣接して設けられる。なお、ドラム２が有する巻き取り部２２の数は一個のみでもよいし、三個以上でもよく、数は特に限定されない。
【００１６】
さらに本実施形態では、図２Ａに示すように、ドラム２はフランジ（便宜上、端フランジ２３、２４とする）を有している。端フランジ２３、２４は、筒部２１の中心軸方向における巻き取り部２２の両側の部分（本実施形態では筒部２１の中心軸方向の端部）に設けられている。端フランジ２３、２４の外郭は円形状をしているが、形状は特に限定されない。なお、端フランジ２３、２４は設けられなくても構わないが、端フランジ２３、２４が設けられることにより、ベルト３がドラム２の巻き取り部２２から脱落するのが抑えられる。
【００１７】
さらに本実施形態では、二個の巻き取り部２２の間にも、上記端フランジ２３、２４と同様の形状をした間仕切りフランジ２５が設けられている。なお、間仕切りフランジ２５は設けられなくても構わないが、間仕切りフランジ２５が設けられることにより、二個の巻き取り部２２にそれぞれ巻き取られるベルト３が絡まったりするのが抑えられる。
【００１８】
ドラム２は、樹脂、金属、木質材、その他の材質やこれらが組み合わされたものにより形成されるもので、材質は特に限定されないが、本実施形態では筒部２１、端フランジ２３、２４および間仕切りフランジ２５が樹脂により一体に形成されている。
【００１９】
図２Ａに示すように、筒部２１には、シャフト４が挿入されるシャフト挿入部２６が設けられるものである。ここでシャフト４について説明する。シャフト４は、図１に示すように、モータ等の駆動部（図６の駆動装置６参照）からの動力をドラム２に伝達するもので、ドラム２に固定される。シャフト４は、樹脂、金属、木質材、その他の材質やこれらが組み合わされたものにより形成されるもので、材質は特に限定されないが、本実施形態では金属（非金属との混合物も可）により形成されている。
【００２０】
図２Ｂに示すように、ドラム２は、筒部２１の径方向に分割される複数の分割体（本実施形態では第１分割体２Ａおよび第２分割体２Ｂ）を有するものである。なお、本実施形態では筒部２１は二個の第１分割体２Ａおよび第２分割体２Ｂを有するものであるが、三個以上の分割体を有してもよく、分割数は限定されない。
【００２１】
本実施形態では、第１分割体２Ａおよび第２分割体２Ｂは、筒部２１を二等分して同じ形状に形成されているが、異なる形状に分割されてもよい。
【００２２】
図２Ｂに示すように、第１分割体２Ａおよび第２分割体２Ｂは、端フランジ２３、２４の突き合わせ部に凸部２７および凹部２８が対をなすように設けられている。凹部２８に凸部２７が嵌入されて第１分割体２Ａおよび第２分割体２Ｂが固定されることにより、図２Ａに示す筒部２１が構成される。
【００２３】
図２Ｂに示すように、第１分割体２Ａおよび第２分割体２Ｂには、シャフト４に固定されるための固着具４２（図１参照））が挿通される固着具挿通口２９が設けられている。
【００２４】
第１分割体２Ａおよび第２分割体２Ｂは、図２Ｂに示すように、筒部２１の突き合わせ部に切欠２０１を有しており、図２Ａに示す筒部２１が構成されたときに、ベルト３が筒部２１の内外に挿通可能なベルト挿通口２０が形成される。
【００２５】
シャフト４は、図３Ａに示すように、本実施形態では円筒状をなす中空部材により形成されているが、円柱状をなす中実部材により形成されてもよい。また、シャフト４は、軸方向に直交する断面における外郭が円形状をしているが、外郭が楕円形状やその他の形状をしてもよく、特に限定されない。
【００２６】
図２Ａに示すように、筒部２１の内部に設けられるシャフト挿入部２６は、筒部２１の中心軸方向の少なくとも一方に開口して、シャフト４が中心軸方向にドラム２内外にわたって挿通するように形成されている。本実施形態では、筒部２１の内部は中心軸方向の両側に開口している。
【００２７】
図３Ａ、図３Ｂに示すように、シャフト４には、ベルト挿通部４１が設けられるものである。ここでベルト３について説明する。ベルト３は、図１に示すように、ドラム２に巻き取られたり戻されたりすることによりドラム２に対して移動するものである。図４Ａに示すように、ベルト３は、布やゴム等の変形性を有する板状をしたものであるが、材質や形状は特に限定されない。ベルト３には、長手方向の一端部に抜止部３１が設けられるものである。
【００２８】
抜止部３１は、ベルト３の一端部以外の部分の厚みよりも厚く形成されるものである。このような抜止部３１は、ベルト３の一端部においてベルト３自体が厚くなることにより形成されてもよいし、ベルト３に別部材が設けられることにより形成されてもよい。本実施形態では、図４Ｂに示すように、ベルト３の一端部においてベルト３の端縁が折り返されて接続されることにより環状部３２が形成され、環状部３２にピン３３が挿入されて抜止部３１が形成されている。なお、抜止部３１は、少なくともベルト３の抜止部３１が設けられた部分に隣接する部分の厚みよりも厚ければよく、ベルト３の長手方向の他端部側に離れた部分に抜止部３１よりも厚い部分があってもよい。
【００２９】
シャフト４に設けられるベルト挿通部４１は、図３Ａに示すように、シャフト４の径方向に貫通するとともに、シャフト４の軸方向に開口するものである。本実施形態では、円筒状をしたシャフト４の軸方向の一部に、軸方向に直交する断面において互いに対向する二箇所にそれぞれ、軸方向の一端側に開口する切欠が形成されることにより、ベルト挿通部４１が設けられている。
【００３０】
本実施形態では、シャフト４に二個のベルト挿通部４１が設けられて、二本のベルト３が挿通されている。なお、シャフト４に設けられるベルト挿通部４１およびシャフト４に挿通されるベルト３の本数は限定されない。
【００３１】
ベルト挿通部４１は、図３Ｂに示すように、ベルト３の抜止部３１以外の部分が挿通可能で、かつ、抜止部３１が挿通不能に形成されるものである。本実施形態では、ベルト挿通部４１の幅（シャフト４の周方向における長さ）が、ベルト３の抜止部３１以外の部分（少なくともベルト３の抜止部３１に隣接する部分）の厚みよりも長くなるように形成される。なおかつ、ベルト挿通部４１の幅が、ベルト３の抜止部３１の厚みよりも短くなるように形成される。
【００３２】
図３Ａ、図３Ｂに示すように、シャフト４には、筒部２１が固定されるための固着具４２（図１参照）がねじ込まれる固着部４３が設けられている。
【００３３】
上述したベルト付きプーリ１の製造（組み立て）について説明する。
【００３４】
まず、図４に示すように、ベルト３の一端部に形成された環状部３２にピン３３が挿入されて抜止部３１が形成される。
【００３５】
次に、図３Ｂに示すように、ベルト挿通部４１にシャフト４の軸方向の外側よりよりベルト３が挿通され、ベルト３が抜止部３１により抜止めされた状態でシャフト４の径方向に貫通する状態となる。
【００３６】
次に、図５Ａに示すように、ベルト３が挿通されたシャフト４が第１分割体２Ａおよび第２分割体２Ｂのシャフト挿入部２６となる部分に対向するように配置され、図５Ｂに示すように、第１分割体２Ａおよび第２分割体２Ｂがベルト３に順次シャフト４に固定される。固定は、第１分割体２Ａおよび第２分割体２Ｂに設けられた固着具挿通口２９に固着具４２が挿通されて、固着具４２がシャフト４に設けられた固着部４３にねじ込まれることにより行われる。図５Ｂでは、第２分割体２Ｂが先にシャフト４に固定されているが、順序は特に限定されず、第１分割体２Ａおよび第２分割体２Ｂが同時にシャフト４に固定されてもよい。
【００３７】
シャフト４に設けられたベルト３の長手方向の他端部３４側の部分が、第１分割体２Ａおよび第２分割体２Ｂの間に設けられたベルト挿通口２０から外側に挿通された状態で、第１分割体２Ａおよび第２分割体２Ｂが連結される。これにより、図１に示すベルト付きプーリ１が完成する。
【００３８】
なお本実施形態では、ドラム２とシャフト４の固定は、固着具４２により行われているが、特に固着具が設けられなくてもよく、固定手段は特に限定されない。また、第１分割体２Ａおよび第２分割体２Ｂは、シャフト４に固定されるため、第１分割体２Ａと第２分割体２Ｂとが互いに連結されなくてもよい。また、ドラム２には、図１に示すように、ベルト挿通口２０とは別に抜止部３１との干渉を避けるための開口が形成されているが、このような開口は形成されなくてもよい。
【００３９】
上述したベルト付きプーリ１にあっては、ベルト３の一端部に設けられた環状部３２がドラム２内に位置する前に、すなわちドラム２外において、環状部３２にピン３３が挿通される。このため、従来においてドラム９１内に配置されたベルト９２の環状部にピン９５が挿入されるための手間のかかる作業が不要となり、作業性が向上して、ベルト付きプーリ１の製造が容易となるものである。
【００４０】
また、ベルト挿通部４１にシャフト４の軸方向の外側よりよりベルト３が挿通され、ベルト３が挿通されたシャフト４が第１分割体２Ａおよび第２分割体２Ｂに挟まれて固定される。このため、従来においてベルト９２の端部がベルト挿通口９４に挿通されてドラム９１の内部の所定の位置に配置されるための手間のかかる作業が不要となり、作業性が向上して、ベルト付きプーリ１の製造が容易となるものである。
【００４１】
以下に、上述したベルト付きプーリ１が設けられた昇降収納装置５について図６および図７に基いて説明する。昇降収納装置５は、主にキッチンの天井や壁等に設置されて用いられるもので、図６、図７に示すように、筐体５１と、昇降棚５２と、駆動装置６とを備えている。
【００４２】
筐体５１は、下方に開口した箱形状をしている。筐体５１は、キッチンの天井や壁等の取付面に固定される。
【００４３】
昇降棚５２は、筐体５１の内部に収納される。昇降棚５２は、筐体５１に対して昇降自在となっている。昇降棚５２は、移動軌跡の上端において筐体５１内に収納され、移動軌跡の下端において内部に収納物を出し入れ可能な状態となる。
【００４４】
昇降棚５２は、前方に開口した箱形状をしている。昇降棚５２の内部には棚部５３が設けられている。昇降棚５２の内部は、棚部５３によって上下に仕切られている。これにより、昇降棚５２の内部には、食器等の収納物を収納することができる。なお、棚部５３は、棚板であってもよいし、網状のかごであってもよい。
【００４５】
昇降棚５２の上端部は、昇降棚５２の収納状態において、筐体５１の天板５１１とは離間している。昇降棚５２の収納状態における、昇降棚５２の上端部と筐体５１の天板５１１との間のスペースには、駆動装置６が配置される。
【００４６】
駆動装置６は、本実施形態では電動モータが用いられるが、油圧モータや空気圧モータ等であってもよく、特に限定されない。
【００４７】
駆動装置６およびベルト付きプーリ１は、筐体５１の天板５１１の下面に固定される。駆動装置６およびベルト付きプーリ１は、ドラム２の中心軸の軸芯が前後方向に平行となるように、天板５１１の下面に取り付けられる。
【００４８】
本実施形態では、ベルト３として、右側ベルト３Ａと、左側ベルト３Ｂとを備えている。右側ベルト３Ａと左側ベルト３Ｂとは、図７に示すように、ドラム２の中心軸上では、前後方向にずれて連結されている。この右側ベルト３Ａと左側ベルト３Ｂとは、ドラム２の中心軸が正方向に回転すると、いずれもドラム２に巻き取られる。また、右側ベルト３Ａと左側ベルト３Ｂとは、ドラム２に巻き取られた状態でドラム２が逆方向に回転すると、いずれも巻き戻される。
【００４９】
ベルト３は、図６に示すように、長手方向の一端部が、上述したようにドラム２に連結される。また、ベルト３は、筐体５１に固定される滑車５４および昇降棚５２に固定される滑車５５に掛け回されて、長手方向の他端部３４が筐体５１の天板５１１の下面に固定される。
【００５０】
滑車５４は、筐体５１の天板５１１の左右方向の両端部の下面に固定される。滑車５５は、昇降棚５２の上部に固定される。
【００５１】
昇降収納装置５に上述したベルト付きプーリ１が用いられることにより、作業性が向上して、ベルト付きプーリ１および昇降収納装置５の製造が容易となるものである。
【符号の説明】
【００５２】
１    プーリ
２    ドラム
２Ａ  分割体
２１  筒部
２６  シャフト挿入部
３    ベルト
３１  抜止部
３４  他端部
４    シャフト
４１  ベルト挿通部
【図１】
0006524584.tif 000002
【図２】
0006524584.tif 000003
【図３】
0006524584.tif 000004
【図４】
0006524584.tif 000005
【図５】
0006524584.tif 000006
【図６】
0006524584.tif 000007
【図７】
0006524584.tif 000008
【図８】
0006524584.tif 000009